(57)【特許請求の範囲】
【請求項１】
発泡材からなる方形の瓦下地材本体の表面に複数枚の瓦を載置する瓦載置部を有し、裏面に屋根の勾配面に固定される固定部を有した瓦下地材において、
前記瓦下地材本体の表面に複数種類の屋根勾配に合わせて瓦下地材本体を切断するための傾斜した複数の勾配基準線を設けたことを特徴とする瓦下地材。
【請求項２】
発泡材からなる方形の瓦下地材本体の表面に複数枚の瓦を載置する瓦載置部を有し、裏面に屋根の勾配面に固定される固定部を有した瓦下地材において、
前記瓦下地材本体の表面に複数種類の屋根勾配に合わせて瓦下地材本体を切断するための傾斜した複数の勾配基準線を設けると共に、前記瓦下地材本体の裏面に軒先に合わせて前記瓦下地材本体を切断するための横方向に複数の切断指示線を設けたことを特徴とする瓦下地材。
【請求項３】
発泡材からなる方形の瓦下地材本体の表面に複数枚の瓦を載置する瓦載置部を有し、裏面に屋根の勾配面に固定される固定部を有した瓦下地材において、
前記瓦下地材本体の表面に複数種類の屋根勾配に合わせて瓦下地材本体を切断するための傾斜した複数の勾配基準線を設けたと共に、前記瓦載置部相互間に縦方向に水抜き溝を設け、この水抜き溝の両側縁に接着剤の垂れ防止用溝を設けたことを特徴とする瓦下地材。
【請求項４】
発泡材からなる方形の瓦下地材本体の表面に複数枚の瓦を載置する瓦載置部を有し、裏面に屋根の勾配面に固定される固定部を有した瓦下地材において、
前記瓦下地材本体の表面に複数種類の屋根勾配に合わせて瓦下地材本体を切断するための傾斜した複数の勾配基準線を設けたと共に、前記瓦載置部相互間に縦方向に瓦下地材及び瓦固定材を収納する縦溝を設け、この縦溝の下端部に前記瓦下地材及び瓦固定材を滑り落下を防止するストッパを設けたことを特徴とする瓦下地材。
【発明の詳細な説明】
【０００１】
【発明の属する技術分野】
この発明は、屋根の野地面に固定され、瓦を載置するための瓦下地材に関する。
【０００２】
【従来の技術】
発泡スチロール等の発泡材からなる方形の瓦下地材本体の表面に複数枚の瓦を載置する瓦載置部を有した瓦下地材は、断熱性に優れていると共に、瓦載置部は瓦の形状に倣った凹部に形成されているため、瓦を安定した状態に載置でき、耐震性及び耐風性に優れていることから普及している。
【０００３】
この瓦下地材本体は、例えば、１１５７ｍｍ×９５１ｍｍの方形であり、１枚の瓦下地材本体に例えば１２枚の瓦を載置できるようになっている。そして、瓦屋根施工においては、瓦下地材本体の裏面を屋根の野地面の勾配面に接合し、接着剤または接着剤とビス止め併用によって固定した後、瓦下地材本体の表面の瓦載置部に瓦を載せ、接着剤または接着剤とビス止め併用によって固定し、瓦の上下部および左右部を互いに重ね合わせることにより、瓦屋根を葺いている。
【０００４】
ところで、屋根の形は、切り妻のように屋根の端が直線であるとは限らず、寄棟、入母屋等では出隅入隅で端が傾斜している。この傾斜角は屋根勾配によって異なる。
【０００５】
したがって、屋根の端においては、屋根の端の勾配に合わせて方形の瓦下地材本体をカッター等によって切断し、余分な部分を切り落とした後、その瓦下地材本体を野地面に固定している。
【０００６】
【発明が解決しようとする課題】
しかしながら、方形の瓦下地材本体を屋根の端の勾配に合わせてカッター等によって切断する際には、瓦下地材本体を野地面の上に載せ、屋根の端から突出する部分に定規を当て、その定規に沿ってカッターを当てることにより、余分な部分を切り落としている。したがって、屋根葺きの作業性が悪く、特に寄棟、入りもや等の屋根においては、施工に多くの期間を費やしている。また、余分な部分を切り落としているため、瓦下地材本体に無駄な部分が多く出て、材料費も嵩むという問題がある。
【０００７】
この発明は、前記事情に着目してなされたもので、その目的とするところは、寄棟、入母屋等のように屋根の端が傾斜している場合においても、また屋根勾配が例えば４寸、５寸と異なっても、その屋根勾配に合わせて瓦下地材本体を正確に切断でき、その切り落とした半端の部分も有効に利用でき、屋根葺きの作業性の向上を図ることができ、また、瓦下地材本体の材料費の節減も図ることができ、経済的な瓦下地材を提供することにある。
【０００８】
【課題を解決するための手段】
この発明は、前述した目的を達成するために、
請求項１は、発泡材からなる方形の瓦下地材本体の表面に複数枚の瓦を載置する瓦載置部を有し、裏面に屋根の勾配面に固定される固定部を有した瓦下地材において、
前記瓦下地材本体の表面に複数種類の屋根勾配に合わせて瓦下地材本体を切断するための傾斜した複数の勾配基準線を設けたことを特徴とする。
【０００９】
請求項２は、発泡材からなる方形の瓦下地材本体の表面に複数枚の瓦を載置する瓦載置部を有し、裏面に屋根の勾配面に固定される固定部を有した瓦下地材において、
前記瓦下地材本体の表面に複数種類の屋根勾配に合わせて瓦下地材本体を切断するための傾斜した複数の勾配基準線を設けると共に、前記瓦下地材本体の裏面に軒先に合わせて前記瓦下地材本体を切断するための横方向に複数の切断指示線を設けたことを特徴とする。
【００１０】
請求項３は、発泡材からなる方形の瓦下地材本体の表面に複数枚の瓦を載置する瓦載置部を有し、裏面に屋根の勾配面に固定される固定部を有した瓦下地材において、
前記瓦下地材本体の表面に複数種類の屋根勾配に合わせて瓦下地材本体を切断するための傾斜した複数の勾配基準線を設けたと共に、前記瓦載置部相互間に縦方向に水抜き溝を設け、この水抜き溝の両側縁に接着剤の垂れ防止用溝を設けたことを特徴とする。
【００１１】
請求項４は、発泡材からなる方形の瓦下地材本体の表面に複数枚の瓦を載置する瓦載置部を有し、裏面に屋根の勾配面に固定される固定部を有した瓦下地材において、
前記瓦下地材本体の表面に複数種類の屋根勾配に合わせて瓦下地材本体を切断するための傾斜した複数の勾配基準線を設けたと共に、前記瓦載置部相互間に縦方向に瓦下地材及び瓦固定材を収納する縦溝を設け、この縦溝の下端部に前記瓦下地材及び瓦固定材を滑り落下を防止するストッパを設けたことを特徴とする。
【００１２】
【発明の実施の形態】
以下、この発明の実施の形態を図面に基づいて説明する。
図１〜図６は第１の実施形態を示し、図１は瓦下地材本体の表面図である。この瓦下地材本体１は、断熱性および防水性を有する発泡スチロールなどの樹脂発泡材からなり、例えば、１１５７ｍｍ×９５１ｍｍの方形である。瓦下地材本体１の表面２には横方向に３枚、縦方向に４枚で、１枚の瓦下地材本体１に１２枚の瓦を載置できる瓦載置部３が設けられている。図２に示すように、瓦下地材本体１の裏面４には瓦下地材本体１を屋根の野地面に接着剤または接着剤とビス止めの併用によって固定される固定部５が設けられている。
【００１３】
瓦下地材本体１の表面２における右縁部および上縁部には凸部６，７が設けられ、裏面４における左縁部および下縁部には凹部８，９が設けられている。そして、瓦下地材本体１を敷設したとき、凸部６と凹部８とが嵌合し、凸部７と凹部９とが嵌合するようになっている。
【００１４】
さらに、瓦下地材本体１の表面２における瓦載置部３には瓦１０の掛止爪１０ａが掛止される複数条の横溝１１が設けられている。また、横溝１１の１本置きには切欠段部１３が設けられ、木材または樹脂材からなる固定桟１４を位置決めし、釘またはアンカーボルト１５によって瓦下地材本体１を野地面１６に固定できるようになっている。さらに、切欠段部１３の下端縁には横方向に亘って凸条からなるストッパ１３ａが設けられ、このストッパ１３ａによって固定桟１４の固定時に、固定桟１４が屋根の傾斜によって滑り落ちないようになっている。
【００１５】
また、瓦下地材本体１の表面には、図１に示すように、複数種類の屋根勾配（４寸と５寸）とに合わせて瓦下地材本体１を切断することができるように傾斜した複数の勾配基準線１７ａ，１７ｂが設けられている。勾配基準線１７ａは４寸勾配用で、瓦下地材本体１の各辺の１点Ｏを基準として傾斜角が４７．１２゜であり、勾配基準線１７ｂは５寸勾配用で、瓦下地材本体１の各辺の１点Ｏを基準として傾斜角が４８．１９゜であり、これら勾配基準線１７ａ，１７ｂは瓦下地材本体１の表面２に平行四辺形を描くように交差している。
【００１６】
これら勾配基準線１７ａ，１７ｂは瓦下地材本体１の表面に形成された凸条によって形成されているが、凹条、Ｖ溝あるいは印刷等によって表示してもよく、勾配基準線１７ａ，１７ｂの途中には当該基準線の勾配角を表示する文字１８が「４寸」「５寸」と明記されている（図３参照）。
【００１７】
さらに、図５に示すように、前記瓦下地材本体１の表面２における瓦載置部３の間には前記横溝１１と交差する水抜き溝としての複数条の縦溝１２が設けられている。これら縦溝１２の両側縁、つまり瓦載置部３の上面には瓦載置部３に塗布した接着剤１９が縦溝１２に流れ落ちないように垂れ防止用溝２０が設けられている。すなわち、接着剤１９が過剰に塗布されても、垂れ防止用溝２０に流れ落ち、縦溝１２まで流れ落ちないように堰止める役目をしている。
【００１８】
また、前記瓦下地材本体１には図４に示すように軒先調整機能が施されている。すなわち、瓦下地材本体１の下縁部に設けられた凹部９には瓦下地材本体１の端面から例えば２０ｍｍの位置に第１のノッチ９ａと凹部９の端面から例えば２０ｍｍの位置に第２のノッチ９ｂが形成されている。そして、瓦屋根の軒先からの突出寸法によって瓦下地材本体１の軒先調整する際、第１のノッチ９ａを指標として矢印に示すように瓦下地材本体１をカットして軒先を短くしたり、また第２のノッチ９ｂを指標として矢印に示すようにカットして新たに凹部９を形成することにより軒先を長くすることができ、軒先の突出長によって瓦下地材本体１を調整できるようになっている。
【００１９】
また、瓦下地材本体１は屋根の軒先から順次登り方向に敷設し、棟際または平行壁際に到達したときに、瓦下地材本体１を棟際または平行壁際に沿ってカッター等によってカットするが、瓦下地材本体１の表面には縦方向に所定間隔を存して切断指示目盛３０（図１参照）が施されており、この切断指示目盛３０には各瓦載置部３に対応してＡ．Ｂ．Ｃ………Ｇの記号が表示されている。したがって、瓦下地材本体１を棟際または平行壁際に沿ってカッター等によってカットする際、切断指示目盛３０に沿って正確にカットすることができる。
【００２０】
また、図４に示すように、瓦下地材本体１を棟際または平行壁際に沿って例えば切断線３１でカットすると、半端の部分Ｘは従来は廃棄していたが、瓦下地材本体１の裏面４には瓦載置部３の下端縁部に対応して横方向に２条のＶカットからなる切断指示線２１が設けられている。この２条の切断指示線２１の間隔は瓦下地材本体１の下縁部に設けられた凹部９の幅に等しく、瓦下地材本体１を切断指示線２１に沿ってカットするとともに、破線で示すように加工することにより、半端となった瓦下地材本体１の下端縁に凹部２３を容易かつ正確に加工できるようになっている。
【００２１】
次に、前述のように構成された瓦下地材を用いて瓦屋根を施工する方法について説明する。図６は寄棟の屋根２４の平面図であり、寄棟の屋根２４で屋根勾配が４寸の場合、屋根２４の中間部においては、方形の瓦下地材本体１をそのまま使用でき、裏面４の固定部５に接着剤１９を塗布して野地面１６に接着固定する。また、屋根２４の端においては、方形の瓦下地材本体１を屋根２４に載置した時に瓦下地材本体１の端部を４寸勾配にカットする必要がある。
【００２２】
しかし、瓦下地材本体１の表面２には４寸勾配用の傾斜した勾配基準線１７ａと５寸勾配用の勾配基準線１７ｂが設けられているため、瓦下地材本体１に定規を当て、勾配基準線１７ａと平行にカッター等によって切り落すことにより、切断面２５を屋根２４の端の屋根勾配に合致させることができる。つまり、従来の瓦下地材本体には何ら基準になる線が表示されていないため、瓦下地材本体１を屋根２４の端に当て、屋根勾配に合わせてカッター等によって切断することにより、屋根２４の端から突出する部分を切り落としていたが、この発明においては、４寸勾配用の傾斜した勾配基準線１７ａが瓦下地材本体１に表示されているため、あらかじめ瓦下地材本体１に定規を当て、勾配基準線１７ａと平行にカッター等によって切り落せばよく、瓦下地材本体１を屋根２４の端に当て、屋根勾配に合わせてカッター等によって切断するという面倒な作業が不要となる。
【００２３】
そして、切り落とされた瓦下地材本体１の三角形の半端材１ａ，１ｂは屋根勾配に合わせて正確に切断されているため、その半端材１ａ，１ｂを屋根２４の他の部分に利用でき、瓦下地材本体１を無駄なく使用でき、半端材１ａ，１ｂにおいても同様に裏面４の固定部５に接着剤１９を塗布して野地面１６に固定する。
【００２４】
瓦下地材本体１を敷設した後、瓦下地材本体１の瓦載置部３に接着剤１９を塗布し、瓦１０の掛止爪１０ａを瓦下地材本体１の横溝１１に掛止した状態で接着剤１９に押し付けることにより、瓦１０を瓦載置部３に固定することができる。このとき、接着剤１９が過剰に塗布されても、垂れ防止用溝２０に流れ落ち、縦溝１２まで流れ落ちることはなく、水抜き用の縦溝１２の機能を損なうことがない。
【００２５】
瓦載置部３に瓦１０を固定すると共に、瓦下地材本体１の切欠段部１３に固定桟１４を位置決めし、接着剤及びビス止め手段または釘またはアンカーボルト１５によって瓦下地材本体１を野地面１６に固定するが、切欠段部１３の下端縁にはストッパ１３ａが設けられているため、このストッパ１３ａによって固定桟１４が屋根の傾斜によって滑り落ちることはなく、固定桟１４の固定作業を容易に行なうことができる。
【００２６】
図７は第２の実施形態を示すもので、第１の実施形態と同一構成部分は同一番号を付して説明を省略する。瓦下地材本体１の縦溝１２に瓦下地材及び瓦固定材としての固定桟２７を入れ、この固定桟２７を釘またはアンカーボルト１５によって瓦下地材本体１を野地面１６に固定する場合を示す。瓦下地材本体１の下縁部に位置する縦溝１２の底部には突起からなるストッパ２８が設けられている。したがって、縦溝１２に固定桟２７を入れ、その下端面をストッパ２８に当接することにより、屋根２４の傾斜によって固定桟２７が滑り落ちることはなく、固定桟２７を仮支持でき、固定桟２７の野地面１６に対する固定作業の容易化が図れる。
【００２７】
前記実施形態においては、４寸勾配の屋根について述べたが、５寸勾配の屋根の場合には、勾配基準線１７ｂと平行に定規を当ててカッター等によって切断すればよく、４寸勾配と５寸勾配の屋根に適用できる。
【００２８】
【発明の効果】
以上説明したように、この発明の請求項１によれば、瓦下地材本体の表面には屋根勾配に相当する複数の勾配基準線を設けたため、瓦下地材本体を勾配基準線と平行にカッター等によって切り落すことにより、屋根の端の屋根勾配に合致させることができる。したがって、あらかじめ瓦下地材本体を勾配基準線と平行にカッター等によって切り落すことにより、瓦下地材本体を屋根の端に当て、屋根勾配に合わせてカッターによって切断するという面倒な作業が不要となる。
【００２９】
そして、切り落とされた瓦下地材本体の半端材は屋根勾配に合わせて正確に切断されているため、その半端材を屋根の他の部分に利用でき、瓦下地材本体を無駄なく使用でき、材料費の節減が図れる。
【００３０】
請求項２によれば、請求項１の効果に加え、瓦下地材本体を屋根の軒先から順次登り方向に敷設し、棟際または平行壁際に到達して瓦下地材本体を棟際または平行壁際に沿ってカッター等によってカットしても、瓦下地材本体を切断指示線に沿って切断及び加工することにより、瓦下地材本体を無駄なく使用できる。
【００３１】
請求項３によれば、請求項１の効果に加え、瓦載置部相互間に縦方向に水抜き溝を設け、この水抜き溝の両側縁に接着剤の垂れ防止用溝を設けることにより、接着剤が過剰に塗布されても、水抜き溝に流れることはなく、水抜きの機能を失うことはないという効果がある。
【００３２】
請求項４によれば、請求項１の効果に加え、瓦載置部相互間に縦方向に瓦下地材及び瓦固定材を収納する縦溝を設け、この縦溝の下端部に瓦下地材及び瓦固定材を滑り落下を防止するストッパを設けることにより、瓦下地材及び瓦固定材の固定作業の容易化が図れるという効果がある。
【図面の簡単な説明】
【図１】この発明の第１の実施形態を示す瓦下地材の一部を省略した表面図。
【図２】同実施形態の瓦下地材本体の使用状態の縦断側面図。
【図３】図１のＡ部を拡大して示す平面図。
【図４】同実施形態を示し、（ａ）は瓦下地材本体の側面図、（ｂ）はＳ部を拡大した側面図。
【図５】同実施形態の瓦下地材本体に設けられた垂れ防止用溝を示す瓦下地材本体の断面図。
【図６】同実施形態の屋根の平面図。
【図７】この発明の第２の実施形態を示す瓦下地材本体の平面図。
【符号の説明】
１…瓦下地材本体
３…瓦載置部
１１…横溝
１２…縦溝
１７ａ，１７ｂ…勾配基準線
２０…垂れ防止用溝
２１…切断指示線
２８…ストッパ
【図１】
0003761986.tif 000002
【図２】
0003761986.tif 000003
【図３】
0003761986.tif 000004
【図４】
0003761986.tif 000005
【図５】
0003761986.tif 000006
【図６】
0003761986.tif 000007
【図７】
0003761986.tif 000008